(57)【要約】【課題】座席のリクライニング時における背凭れと座部の相関関係を予め確認することができるリクライニング解析方法および装置を提供する。【解決手段】座席１のリクライニング動作時における背凭れ３の背角と座部２の座角との相関関係を表すグラフに関するデータを生成するグラフ生成手段１４と、この生成されたデータに基づき、グラフを所定の表示部２２に表示させるグラフ表示手段１５とを備えた。グラフは、縦軸を背角とし横軸を座角として、背角および座角のデータを、リクライニング動作の始点のプロットから終点のプロットまでを結ぶ線として表す。【選択図】図２
2018050974.tif 000002
【特許請求の範囲】
【請求項１】
背凭れが後方へ倒れ座部が後方へ傾くリクライニング動作が可能な座席を対象とし、該座席のリクライニング動作をシミュレーションするリクライニング解析方法であって、
シミュレーションの実行条件として入力したデータに基づき、座席のリクライニング動作時における背凭れの水平に対する傾斜角度である背角と、座部の水平に対する傾斜角度である座角との相関関係を表すグラフに関するデータを生成するグラフ生成ステップと、
前記グラフ生成ステップにより生成されたデータに基づき、前記グラフを所定の表示部に表示させるグラフ表示ステップと、を少なくとも備えたことを特徴とするリクライニング解析方法。
【請求項２】
背凭れが後方へ倒れ座部が後方へ傾くリクライニング動作が可能な座席を対象とし、該座席のリクライニング動作をシミュレーションするリクライニング解析装置であって、
シミュレーションの実行条件として入力したデータに基づき、座席のリクライニング動作時における背凭れの水平に対する傾斜角度である背角と、座部の水平に対する傾斜角度である座角との相関関係を表すグラフに関するデータを生成するグラフ生成手段と、
前記グラフ生成手段により生成されたデータに基づき、前記グラフを所定の表示部に表示させるグラフ表示手段と、を少なくとも備えたことを特徴とするリクライニング解析装置。
【請求項３】
前記グラフは、座標上で一方の座標軸を前記背角とし、これと直交する座標軸を前記座角として、前記背角および前記座角のデータを、リクライニング動作の始点のプロットから終点のプロットまでを結ぶ線として表すものであることを特徴とする請求項２に記載のリクライニング解析装置。
【請求項４】
前記グラフの線形が、リクライニング動作の始点から終点に至る途中において、予め定められた座席のプロトタイプに対応した背角および座角である特定範囲を通過するものとすることを特徴とする請求項３に記載のリクライニング解析装置。
【請求項５】
前記グラフ上に、その線形と共に前記特定範囲を表示可能であることを特徴とする請求項４に記載のリクライニング解析装置。
【請求項６】
前記グラフ上に、別々にシミュレーションした各座席ごとに生成された複数の線形を重ね合わせて表示可能であることを特徴とする請求項３，４または５に記載のリクライニング解析装置。
【請求項７】
前記グラフの複数の線形にそれぞれ対応した座席に関する設計支援情報を、前記グラフに関するデータと関連付けて保存する記憶部を備え、
前記グラフに関するデータに基づき、これと関連付けられた前記設計支援情報を前記記憶部から呼び出し前記表示部に表示可能であることを特徴とする請求項２，３，４，５または６に記載のリクライニング解析装置。
【発明の詳細な説明】
【技術分野】
【０００１】
本発明は、背凭れが後方へ倒れ座部が後方へ傾くリクライニング動作が可能な座席を対象とし、該座席のリクライニング動作をシミュレーションするリクライニング解析方法および装置に関する。
【背景技術】
【０００２】
従来より、快適な座り心地を提供するリクライニング機能を備えた座席には、背凭れを後方へ倒すと座部が後方へ傾くように動作するものが知られている（例えば、特許文献１，２参照）。このような座席は、座部の後端側に背凭れが起倒可能に支持され、座部は前後方向へ移動可能かつ後方へ傾斜可能に支持されており、座部の後端と背凭れの下端とがリンク等の連動機構を介して連結され、背凭れの起倒に伴って座部が所定の軌跡上を連動するように構成されていた。
【０００３】
よって、座席のリクライニング動作時における背凭れと座部の具体的な動きや各ポジションにおける形態は、前記連動機構等の設計によって決定される。また、実際の座席の製造に際しては、一般に椅子をデザインする上で重要となるプロトタイプ（例えば『インテリアの人間工学』，産調出版（株）等参考）の各型に合致するような理想の形態を実現するように設計することが望まれていた。
【先行技術文献】
【特許文献】
【０００４】
【特許文献１】特開２０１５−２０５１７号公報
【特許文献２】特開２０１０−８８８１４号公報
【発明の概要】
【発明が解決しようとする課題】
【０００５】
従来の座席において、その座り心地に影響を及ぼす背凭れと座部の相関関係は、前記連動機構等の設計に大きく左右される。しかしながら、今までは、リクライニング動作時における背凭れや座部の相関関係を事前に検証するような手立ては何もなく、試作品を製作した上で実際の動きや座り心地等を確認しなければならなかった。このことが、座席の開発コストや開発期間を増大させる要因ともなっていた。
【０００６】
また、今までの座席では、前述した椅子のプロトタイプの各型に合致するような動きや形態を実現するための設計自体も難しく、その動きや形態の確認も、実際に試作品を製作しなければ分からなかった。さらに、座席の設計に際しては、背凭れと座部の相関関係を確認できる資料としては試作品のサンプルしかなく、その保管はスペース的に難しいという問題もあった。
【０００７】
本発明は、以上のような従来の技術の有する問題点に着目してなされたものであり、座席のリクライニング時における背凭れと座部の相関関係を予め確認することが可能となり、実際に試作品を製作しなくても座席の具体的な動きや形態、それに理想の形態を実現するような設計を容易にシミュレーションすることができるリクライニング解析方法および装置を提供することを目的としている。
【課題を解決するための手段】
【０００８】
前述した目的を達成するための本発明の要旨とするところは、以下の各項の発明に存する。  
［１］背凭れ（３）が後方へ倒れ座部（２）が後方へ傾くリクライニング動作が可能な座席（１）を対象とし、該座席（１）のリクライニング動作をシミュレーションするリクライニング解析方法であって、
シミュレーションの実行条件として入力したデータに基づき、座席（１）のリクライニング動作時における背凭れ（３）の水平に対する傾斜角度である背角と、座部（２）の水平に対する傾斜角度である座角との相関関係を表すグラフに関するデータを生成するグラフ生成ステップと、
前記グラフ生成ステップにより生成されたデータに基づき、前記グラフを所定の表示部（２２）に表示させるグラフ表示ステップと、を少なくとも備えたことを特徴とするリクライニング解析方法。
【０００９】
［２］背凭れ（３）が後方へ倒れ座部（２）が後方へ傾くリクライニング動作が可能な座席（１）を対象とし、該座席（１）のリクライニング動作をシミュレーションするリクライニング解析装置（１０）であって、
シミュレーションの実行条件として入力したデータに基づき、座席（１）のリクライニング動作時における背凭れ（３）の水平に対する傾斜角度である背角と、座部（２）の水平に対する傾斜角度である座角との相関関係を表すグラフに関するデータを生成するグラフ生成手段（１４）と、
前記グラフ生成手段（１４）により生成されたデータに基づき、前記グラフを所定の表示部（２２）に表示させるグラフ表示手段（１５）と、を少なくとも備えたことを特徴とするリクライニング解析装置（１０）。
【００１０】
［３］前記グラフは、座標上で一方の座標軸を前記背角とし、これと直交する座標軸を前記座角として、前記背角および前記座角のデータを、リクライニング動作の始点のプロットから終点のプロットまでを結ぶ線として表すものであることを特徴とする前記［２］に記載のリクライニング解析装置（１０）。
【００１１】
［４］前記グラフの線形が、リクライニング動作の始点から終点に至る途中において、予め定められた座席（１）のプロトタイプに対応した背角および座角である特定範囲を通過するものとすることを特徴とする前記［３］に記載のリクライニング解析装置（１０）。
【００１２】
［５］前記グラフ上に、その線形と共に前記特定範囲を表示可能であることを特徴とする前記［４］に記載のリクライニング解析装置（１０）。
【００１３】
［６］前記グラフ上に、別々にシミュレーションした各座席（１）ごとに生成された複数の線形を重ね合わせて表示可能であることを特徴とする前記［３］，［４］または［５］に記載のリクライニング解析装置（１０）。
【００１４】
［７］前記グラフの複数の線形にそれぞれ対応した座席（１）に関する設計支援情報を、前記グラフに関するデータと関連付けて保存する記憶部（２３）を備え、
前記グラフに関するデータに基づき、これと関連付けられた前記設計支援情報を前記記憶部（２３）から呼び出し前記表示部（２２）に表示可能であることを特徴とする前記［２］，［３］，［４］，［５］または［６］に記載のリクライニング解析装置（１０）。
【００１５】
次に、前述した解決手段に基づく作用を説明する。
前記［１］に記載のリクライニング解析方法によれば、シミュレーションの実行条件であるデータを入力すると、グラフ生成ステップにより、入力されたデータに基づき、座席（１）のリクライニング動作時における背凭れ（３）の背角と座部（２）の座角との相関関係を表すグラフに関するデータが生成される。
【００１６】
この生成されたデータに基づき、グラフ表示ステップでは、グラフを所定の表示部（２２）に表示させる。かかるグラフによって、座席（１）のリクライニング時における背凭れ（３）と座部（２）の相関関係を予め確認することが可能となり、どのような相関関係の場合に快適な座り心地を得られるかを容易にシミュレーションすることができる。よって、座席（１）を設計する度に余分な試作を繰り返して検証する必要もなく、製造コストを低減することも可能となる。
【００１７】
本発明では、前述したリクライニング解析方法を実施するリクライニング解析装置（１０）も権利の対象としている。すなわち、前記［２］に記載したように、前記グラフに関するデータを生成するグラフ生成手段（１４）と、生成されたデータに基づきグラフを所定の表示部（２２）に表示させるグラフ表示手段（１５）と、を少なくとも備えるように構成される。かかる装置も、当然ながら前述のリクライニング解析方法で奏される作用効果を得ることが可能である。
【００１８】
前記グラフとしては、具体的には例えば前記［３］に記載したように、一方の座標軸を背凭れ（３）の背角とし、これと直交する座標軸を座部（２）の座角として、背角および座角のデータを、リクライニング動作の始点のプロットから終点のプロットまでを結ぶ線として表すものとする。
【００１９】
このようなグラフによれば、背凭れ（３）と座部（２）との相関関係をいっそう容易に理解することができる。なお、リクライニング動作の始点から終点を結ぶ線形は、直線に限られるものではなく、直線が途中で屈曲する折れ線、あるいは２次曲線等の曲線であっても良い。
【００２０】
また、前記［４］に記載したように、前記グラフの線形が、リクライニング動作の始点から終点に至る途中において、予め定められた座席（１）のプロトタイプに対応した背角および座角である特定範囲を通過するものとすると良い。ここでプロトタイプの数は、１つとは限らず複数あっても良い。また、リクライニング動作の始点と終点に関するデータも、複数あるプロトタイプの何れかに合致するものであっても良い。
【００２１】
これにより、リクライニング動作の途中における各ポジションで、背凭れ（３）と座部（２）の相関関係を理想的な形態とする設計も容易にシミュレーションすることができる。さらに、ここで前記［５］に記載したように、グラフ上に、その線形と共に特定範囲も表示可能とすれば、容易に目視で確認することができる。
【００２２】
また、前記［６］に記載したように、前記グラフ上にて、別々にシミュレーションした各座席（１）ごとに生成された複数の線形を重ね合わせて表示可能とすれば、それぞれを同時に比較検証することも可能となる。ここで複数の線形は、例えば、線種や太さを異ならせる等、互いに識別できるように表示すると良い。
【００２３】
さらに、前記［７］に記載のリクライニング解析装置（１０）によれば、前記グラフの複数の線形にそれぞれ対応した座席（１）に関する設計支援情報を、前記グラフに関するデータと関連付けて保存する記憶部（２３）を備える。そして、前記グラフに関するデータに基づき、これと関連付けられた設計支援情報を記憶部（２３）から呼び出し前記表示部（２２）に表示することができる。ここで設計支援情報とは、例えば座席（１）の座り心地の評価等が該当する。
【００２４】
これにより、グラフの線形に基づき、どのような座り心地か等の情報を事前に知ることが可能となり、いっそう効率的な座席（１）の設計に寄与することが可能となる。また、背凭れ（３）と座部（２）の相関関係を示すデータとして、余計なスペースを要することなく効率良く多量に保管することも可能となる。
【発明の効果】
【００２５】
本発明に係るリクライニング解析方法および装置によれば、座席のリクライニング時における背凭れと座部の相関関係をグラフ化して予め確認することが可能となり、実際に試作品を製作しなくても座席の具体的な動きや形態、それに理想の形態を実現するような設計を容易にシミュレーションすることができる。従って、座席を設計する度に余分な試作を繰り返して検証する必要もなく、開発コストや開発期間の削減をすることができる。
【図面の簡単な説明】
【００２６】
【図１】本発明の実施の形態に係るリクライニング解析装置の一例を概略的に示すブロック図である。
【図２】本発明の実施の形態に係るリクライニング解析方法および装置でシミュレーションの結果として出力されるグラフの一例を示す説明図である。
【図３】本発明の実施の形態に係るリクライニング解析方法および装置でシミュレーションの対象とする座席の一例を模式的に示す側面図である。
【発明を実施するための形態】
【００２７】
以下、図面に基づき本発明を代表する実施の形態を説明する。
図１〜図３は、本発明の一実施の形態を示している。
本実施の形態に係るリクライニング解析方法および装置１０は、背凭れ３が後方へ倒れ座部２が後方へ傾くリクライニング動作が可能な座席１を対象とし、該座席１のリクライニング動作をシミュレーションするものである。座席１の用途は特に限定されるものではなく、鉄道車両等の乗物の客室内に装備される座席や、劇場等に装備される観覧用シート等と広く適用することができる。
【００２８】
座席１は、例えば図３に模式的に示すように、座部２は、水平に対して座面が後方へ傾斜するように支持され、背凭れ３は、その下端側が座部２の後端側に起倒可能に支持されている。ただし、座部２の後端と背凭れ３の下端は、必ずしも直接的に連結する構成でなくても良い。また、背凭れ３が起倒する回動中心は、背凭れ３自体の下端とは限らず、さらに、座部２が後方へ傾く形態は、座部２の後端側を回動中心として前端側が上昇するだけでなく、座部２の前端側に対して後端側が沈み込むような動きでも良い。
【００２９】
このような座席１は、具体的には例えば、背景技術で説明した特許文献１，２に記載の座席等が該当する。すなわち、背凭れを後方へ倒す動作に連動して、座部が後方へ傾くリクライニング動作が可能なものである。かかる座席の場合、座部の後端側と背凭れの下端側とが、互いにリンク等を含む連動機構を介して連結されており、背凭れ３の起倒に連動して座部２が所定の軌跡上を動くように構成される。何れの座席にせよ、製造前の設計時に、本シミュレーションにより設計時間の短縮および合理化を図ることが可能となる。
【００３０】
座席１を設計する上で、快適な座り心地を実現するためには、背凭れ３の水平に対する傾斜角度である背角と、座部２の水平に対する傾斜角度である座角との相関関係の検証が重要となる。特に、座席１がリクライニング動作により、背凭れ３の背角と座部２の座角との相関関係が変化する場合には、その変化を把握することも必要となる。例えば、リクライニング動作の途中の各ポジションにおいて、座部２と背凭れ３の相関関係を前述した椅子のプロトタイプの各型に合致させることで、理想的な座り心地を得ることができる。
【００３１】
本リクライニング解析方法および装置１０は、座席１を未だリクライニングさせていない背凭れ３が最も起立したアップライト時から、座席１をリクライニングさせて背凭れ３が最も後方へ倒れたフルリクライニング時に至る全過程における背凭れ３と座部２との相関関係をグラフ化して表示出力することにより、該座席１のリクライニング動作をシミュレーションするものである。
【００３２】
図１は、リクライニング解析装置１０の一例を概略的に示すブロック図である。
リクライニング解析装置１０は、実質的には、制御機能を果たすＣＰＵ１１を中核として、各種動作を行うための機能手段をハードウエアやソフトウエアで構成している。すなわち、リクライニング解析装置１０は、ＣＰＵ１１と、ＣＰＵ１１の実行するプログラムや各種の固定的データを記憶するＲＯＭ１２と、プログラムを実行する上で一時的に必要になるデータを記憶するＲＡＭ１３を主要部とし、ＣＰＵ１１により実現される機能として、グラフ生成手段１４、グラフ表示手段１５、それに入力部２１、表示部２２、記憶部２３等により構成されている。
【００３３】
グラフ生成手段１４は、座席１のシミュレーションの実行条件として入力したデータに基づき、座席１のリクライニング動作時における背凭れ３の背角と座部２の座角との相関関係を表すグラフに関するグラフデータを生成する機能である。グラフ表示手段１５は、前記グラフ生成手段１４により生成されたグラフデータに基づき、表示部２２にグラフを表示させる機能である。
【００３４】
入力部２１は、座席１のシミュレーションの実行条件となる各種データを入力したり、初期条件やパラメータ値を設定するものであり、利用者が操作するキーボードやタブレット、マウス等が該当する。表示部２２は、生成されたグラフデータに基づきグラフを表示したり、他の各種データを表示するものであり、例えばＬＣＤ（液晶ディスプレイ）等により構成される。記憶部２３は、グラフを含む様々なデータを記憶するものであり、外部記憶装置が該当する。
【００３５】
表示部２２の画面上には、例えば図２に示すように、前記グラフデータに基づき変換されたグラフが表示される。このグラフにより、座席１のリクライニング動作時における背凭れ３と座部２の相関関係が可視化され、利用者は視覚的にシミュレーション結果として確認することができる。
【００３６】
図２に示したグラフは、二次元のシート３０上で、その行方向（上下）に延びる一方の座標軸（縦軸）を背角とし、これと直交する列方向（左右）に延びる座標軸（横軸）を座角としている。かかるシート３０上に、背角および座角のデータであるグラフが、リクライニング動作の始点のプロットから終点のプロットまでを結ぶ線として表示される。なお、グラフの線形について詳しくは後述する。
【００３７】
前記シート３０では、原点は背角９０°座角０°であり、縦軸の背角は１３０°を上限とし、１００°から１３０°まで５°ごとに目盛りが割り付けられている。また、横軸の座角は１６°を上限とし、０°から１６°まで２°ごとに目盛りが割り付けられている。このような背角と座角の相関関係の表示範囲は、適宜定め得る設計事項である。なお、シート３０の表示形式は特に限定されるものではなく、例えば縦軸を座角に、横軸を背角に適宜切り換え可能としても良い。
【００３８】
また、前記シート３０上には、必要に応じて、予め定められた座席のプロトタイプに対応した背角および座角である特定範囲が表示される。ここでプロトタイプとは、前述した椅子のプロトタイプのことであり、その代表的な各型として、Type II、Type III、Type
IV、Type Vの４つの特定範囲が、図２に示したシート３０上では太線等によりマーキングされている。
【００３９】
Type IIは、着座者がやや下向きから正面を向く姿勢となる形態であり、背凭れ３の背角は１００°で座部２の座角は２°〜５°の特定範囲に相当する。このType IIの形態が、一般的にリクライニング動作の始点であるアップライト時に相当する。Type IIIは、着座者が正面を向いた姿勢での長時間作業に適した形態であり、背凭れ３の背角は１０５°で座部２の座角は４°〜８°の特定範囲に相当する。
【００４０】
TypeIVは、着座者が軽い休息姿勢を取りながらの長時間使用に適した形態であり、背凭れ３の背角は１１０°で座部２の座角は７°〜１１°の特定範囲に相当する。Type Vは、主に休息に適した姿勢で着座できる形態であり、背凭れ３の背角は１１５°で座部２の座角は１０°〜１５°の特定範囲に相当する。このType Vの形態が、一般的にリクライニング動作の終点であるフルリクライニング時に相当する。
【００４１】
次に、本実施の形態に係るリクライニング解析方法および装置１０の作用を説明する。
座席１のリクライニング動作をシミュレーションするには、先ず入力部２１によって実行条件となるデータを入力する。ここでデータとは、リクライニング動作の始点や終点を定めるものであり、始点に関しては、座席１のアップライト時の座角と背角の座標、終点に関しては、座席１のフルリクライニング時の座角と背角の座標である。
【００４２】
入力部２１の操作によって、表示部２２の画面上には図示省略したが所定のフォームが表示され、このフォーム中で前記データを入力することができる。ここで始点を定めるアップライト時の座標は、前記シート３０上に表示されるType IIの特定範囲、すなわち背角は１００°かつ座角は２°〜５°の範囲内で設定すると良い。同様に終点を定めるフルリクライニング時の座標は、前記シート３０上に表示されるType Vの特定範囲、すなわち背角は１１５°かつ座角は１０°〜１５°の範囲内で設定すると良い。
【００４３】
データの入力が終了すると、入力部２１の指示等により前記データを基に、グラフ生成手段１４によって、座席１のリクライニング動作時における背凭れ３の背角と座部２の座角との相関関係を表すグラフに関するグラフデータが生成される。続いて、また入力部２１の指示等により表示部２２には、図３に示すように、縦軸を背角とし横軸を座角とする所定のシート３０が表示される。このシート３０上に、グラフ表示手段１５によって、前記グラフデータに基づくグラフが表示される。
【００４４】
本実施の形態に係るグラフは、前記シート３０上で背角および座角のデータを、リクライニング動作の始点のプロットから終点のプロットまでを結ぶ線として表される。グラフの線形は、リクライニング動作の始点から終点を一直線で結ぶものに限らず、直線が途中で屈曲する折れ線、あるいは放物線や２次曲線等の曲線であっても良い。このようなグラフの線形の種類は、例えば入力部２１により細かく指定できるように設定しても良い。
【００４５】
具体的には例えば、グラフの始点から終点を一直線で単純に結ぶように指定したり、リクライニング動作の途中で、前述した椅子のプロトタイプに対応した背角および座角である特定範囲を通過するように、途中で通過すべき幾つかのプロットを予め定めて入力し、各プロット間を結ぶような折れ線ないし曲線として描画するように指定することもできる。指定の方法も、前記フォーム上で予め選択できるように設定したり、あるいはシート３０上でマウスのポインタを合わせる等して指定できるように設定しても良い。
【００４６】
このように、本リクライニング解析方法および装置１０により作成され表示されたグラフによれば、試作品を製作する前に、座席１がリクライニング時にどのような動きをするのか等、背凭れ３と座部２の相関関係を予め確認することが可能となる。従って、どのような角度変化を得ることができるのか判断したり、どのような相関関係の場合に快適な座り心地を得られるかを容易にシミュレーションすることができる。例えば、横軸の長さによりリクライニング時間の感じ方や、縦軸方向の傾斜角度により、背凭れ３の倒れ方等を判別することも可能となる。
【００４７】
詳しく言えば、図２に示したグラフの例によれば、実線の線形ａのように傾斜角度がきつい場合であれば、座部２のストロークが短いため動作時間が短く感じられることが分かる。また、点線の線形ｂのように傾斜角度が緩い場合であれば、座部２のストロークが長いので動作時間が長く感じられることが分かる。さらに、二点鎖線の線形ｃのように途中で屈曲した折れ線の場合であれば、実際に着座した際にその変化点が感じられることが分かる。従って、座席１を設計する度に余分な試作を繰り返して検証する必要もなく、開発コストや開発期間の削減をすることができる。
【００４８】
また、何れのグラフの線形ａ〜ｃも、リクライニング動作の始点から終点に至る途中において、予め定められた座席１のプロトタイプに対応した背角および座角である特定範囲を通過している。これにより、リクライニング動作の途中における各ポジションで、背凭れ３と座部２の相関関係を理想的な座り心地とする設計も容易にシミュレーションすることができる。さらに、グラフに加えて特定範囲も表示することで、理想的なポジションを通過することを容易に確認することができる。なお、特定範囲の数は、図２中に示した４つとは限らず、１ないし３あるいは細かく５以上に設定しても良い。
【００４９】
複数のグラフの線形ａ〜ｃは、別々にシミュレーションした各座席１ごとに生成されたものであるが、図２に示したように、それぞれ同時にシート３０上に重ね合わせて表示することができる。これにより、別々のシミュレーション結果を同時に比較検証することが可能となる。ここで複数の線形は、前述した実線や点線等と線種を異ならせたり、図示省略したが太さや色等を異ならせることにより、互いに識別できるように表示すると良い。もちろん、シート３０には一つずつグラフを表示することも可能であり、入力部２１によって各グラフを一つずつ切り換えて表示しても良い。
【００５０】
グラフの表示によるシミュレーション結果からは、次のような設計展開が可能となる。先ず、グラフの線形から座席１がどのような動きをするかを解析し、候補に挙げられた線形の試作を行い、実際に体感することで座り心地の検証を行なうことができる。また、体感した結果をフォローして、再度線形を見直すことによって、最適な線形を導きだすことができる。また、各グラフは、実際に製作した試作品の動きに対するバックデータとなる。従来の設計では、実物サンプルとしてしか残らなかったが、データとして保管できるようになった。
【００５１】
さらに、グラフの複数の線形にそれぞれ対応した座席１に関する設計支援情報を、前記グラフデータと関連付けて記憶部２３に保存する。そして、前記グラフデータに基づき、これと関連付けられた設計支援情報を記憶部２３から呼び出し表示部２２に表示することができる。ここで設計支援情報とは、前述したようなリクライニング時間の感じ方や背凭れ３の倒れ方等を含む座席１の座り心地の評価等が該当する。
【００５２】
設計支援情報は、利用者の指示に応じてグラフデータに関連付けてファイル化して記憶部２３に随時保存できるようにする。この設計支援情報によって、グラフの線形に基づき、どのような座り心地か等の設計上有用な情報を事前に知ることが可能となり、いっそう効率的な座席１の設計に寄与することが可能となる。また、設計支援情報はグラフデータと共に、余計なスペースを要することなく効率良く多量に保管することができる。
【００５３】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、シミュレーションの対象とする座席は、鉄道車両用、航空機、自動車、船舶等の乗物用の座席に限られることなく、劇場用、家庭用、事務用の椅子にも適用することができる。
【００５４】
また、グラフ生成手段１４やグラフ表示手段１５の処理手順を含む各種プログラムは記憶部２３に保存しておき、この記憶部２３からプログラムがロードされるようにしても良い。また、グラフや設計支援情報は表示部２２に表示するだけでなく、図示省略したプリンタによって印刷出力するようにしても良い。さらに、グラフに対応した背凭れと座部の動きをアニメーションで表示するようにしても良い。
【産業上の利用可能性】
【００５５】
本発明は、鉄道車両、航空機、自動車、船舶等の客室内に設置される乗物用の座席の他、劇場用、家庭用、事務用の椅子を対象としたシミュレーションにも広く利用することができる。
【符号の説明】
【００５６】
１…座席
２…座部
３…背凭れ
１０…リクライニング解析装置
１１…ＣＰＵ
１２…ＲＯＭ
１３…ＲＡＭ
１４…グラフ生成手段
１５…グラフ表示手段
２１…入力部
２２…表示部
２３…記憶部
３０…シート
【図１】
2018050974.tif 000003
【図２】
2018050974.tif 000004
【図３】
2018050974.tif 000005